(57)【要約】【課題】    ドレンパイプ等の有孔管の夜間における敷設又は埋設作業中において、作業員によって誤って踏みつけられるのを防止することができる地中埋設用の有孔管を提供する。【解決手段】  排水などのため地中へ埋設して使用される有孔管(１)の表面の一部または全部に、夜間の敷設又は埋設作業での視認性を向上させるための発光部(30)又は光反射部を設ける。【選択図】  図１
2006063532.tif 000002
【特許請求の範囲】
【請求項１】
排水などのため地中へ埋設して使用される有孔管であって、夜間の敷設又は埋設作業での視認性を向上させるための発光部又は光反射部を、表面の一部または全部に備えていることを特徴とする地中埋設用の有孔管。
【請求項２】
前記の発光部又は光反射部は、有孔管が周方向の略どの角度方向からでも視認できる位置又は範囲に亘って設けられている請求項１記載の地中埋設用の有孔管。
【請求項３】
有孔管が、螺旋状に巻回される１又は複数のストランドによって壁面に多数の通孔を形成されてなる概略網目状であって、その全部若しくは一部のストランドに前記発光部又は光反射部を設けた請求項１又は２記載の地中埋設用の有孔管。
【請求項４】
有孔管が、螺旋状に巻回される１又は複数のストランドからなる内層と、同じく螺旋状に巻回される１又は複数のストランドからなる外層とからなり、それら内層若しくは外層の一方において、その一方の層の一部若しくは全部のストランドに発光部又は光反射部を設けてある請求項３記載の地中埋設用の有孔管。
【請求項５】
外層にのみ発光部又は光反射部を設けた請求項４記載の地中埋設用の有孔管。
【請求項６】
ストランドの一部に発光部又は光反射部を設けた請求項３から５のいずれかに記載の地中埋設用の有孔管。
【請求項７】
有孔管が、道路又はその他の排水性若しくは透水性舗装の透水性表面層より浸透した雨水を排出するためのものである請求項１から６のいずれかに記載の地中埋設用の有孔管。
【発明の詳細な説明】
【技術分野】
【０００１】
この発明は、例えば排水性舗装や透水性舗装等に埋設されるドレンパイプ等として使用され、壁面に多数の通孔を備えた地中埋設用の有孔管に関するものである。
【背景技術】
【０００２】
一般に、地中へ埋設して使用されるドレンパイプとしては、壁面に多数の通孔を備えた有孔管が用いられ、その通孔から管内に入り込んだ雨水を、その管内の通路を通って例えば適宜間隔で設置された排水舛へと導くようにしている。
【０００３】
パイプの素材としては、合成樹脂、金属等各種のものがあるが、金属又は合成樹脂のストランドを網状に形成したもの或いはストレート若しくは波形の管に多数の穴を穿孔したものなどがある。
【０００４】
なお、下記の特許文献１には、排水枠体を路肩に沿って設置した排水性道路舗装において、その排水枠体の上面を道路表面より露出させることとして、この表面に発光体を設けることで、夜間において路肩との境界を示す路面表示機能を発揮させることが開示されている。
【０００５】
【特許文献１】特開平１０−１３１２７４号公報
【発明の開示】
【発明が解決しようとする課題】
【０００６】
このようなドレンパイプにおいて、特に、道路内に埋設されるものにおいては、交通量の多い昼間を避けて夜間に工事が行われることが多く、充分な照明のない場所では、ドレンパイプの敷設や埋設作業の際に、作業員が誤って踏みつけてしまうことがある。特に、合成樹脂からなるものでは、紫外線による劣化を防止するためカーボンブラックを配合したものが用いられ、色調全体が黒であることが多く、より目立ちにくくなっている。
【０００７】
このため、耐圧強度のそれほど高くないパイプでは、踏みつけられたときの圧力によって変形し、場合によっては破壊され、このために使用不能となってしまうことがあった。
【０００８】
また、道路の排水性舗装に用いられるドレンパイプは、厚さ５センチ程度の薄い透水性表面層内に埋設される程度の大きさであるから、暗い夜間の作業では足下にあっても気が付きにくく、比較的容易に踏みつけられてしまう欠点があった。
【０００９】
さらに、前記特許文献１に開示された排水枠体の発光体は、上記のように道路を通行する車両から路肩との境界を視認できるようにするもので、必ずしも作業中に誤って踏みつけられるのを防止できるものとは言い得ないものである。
【００１０】
即ち、発光体は道路表面に露出する上面部分にしか設けられてなく、作業の途中では、常にその発光体が上向きで置かれているとは限らず、下向きに反転した状態で置かれていると見逃される恐れがあるし、走行する車両から視認できればよい程度ものである。
【００１１】
そこで、そのような観点に鑑みて、この発明は、ドレンパイプ等の有孔管の夜間における敷設又は埋設作業中において、作業員によって誤って踏みつけられるのを防止することができる地中埋設用の有孔管を提供することを目的とする。
【課題を解決するための手段】
【００１２】
上記の課題を解決するため、この発明における地中埋設用の有孔管は、排水などのため地中へ埋設して使用されるものであって、夜間の敷設又は埋設作業での視認性を向上させるための発光部又は光反射部を、表面の一部または全部に備えていることを特徴とする。
【００１３】
また、前記の発光部又は光反射部は、有孔管が周方向の略どの角度方向からでも視認できる位置又は範囲に亘って設けられている。
【００１４】
具体的に、有孔管が、螺旋状に巻回される１又は複数のストランドによって壁面に多数の通孔を形成されてなる概略網目状であって、その全部若しくは一部のストランドに前記発光部又は光反射部を設ける。
【００１５】
さらに具体的に、有孔管が、螺旋状に巻回される１又は複数のストランドからなる内層と、同じく螺旋状に巻回される１又は複数のストランドからなる外層とからなり、それら内層若しくは外層の一方において、その一方の層の一部若しくは全部のストランドに発光部又は光反射部を設ける。この場合において、望ましくは、外層にのみ発光部又は光反射部を設ける。
【００１６】
また、場合によっては、ストランドの一部に発光部又は光反射部を設ける。
【００１７】
加えて、有孔管が、道路又はその他の排水性若しくは透水性舗装の透水性表面層より浸透した雨水を排出するためのものである。
【発明の効果】
【００１８】
この発明によれば、地中埋設用の有孔管の表面に発光部又は光反射部が設けられ、それにより夜間の敷設又は埋設作業において有孔管が視認しやすくなっている。このため、例えば夜間に行われる道路の補修工事等において、作業員が有孔管を誤って踏みつけるのを防止することができ、そのような踏みつけによる有孔管の損壊を回避することができる。
【００１９】
特に、排水性舗装体における薄い透水性表面層内に埋設されるような小径の有孔管に対して有効である。
【００２０】
さらに、この発明に係る有孔管は、発光部等により視認しやすくなっているため、敷設又は埋設作業中において工事不良を発見しやすくなるとともに、現場の在庫場所において有孔管を見つけやすいという利点もある。しかも、有孔管が、発光部等によって色づけされることで、従来のような一色のものに比べて目立ちやすくなり、夜間だけでなく昼間でも視認しやすいという効果も有している。
【００２１】
さらにまた、発光部又は光反射部は、有孔管が周方向のどの角度方向からでも視認できるように設けられているため、有孔管が捻れたり捩れたりしても確実に視認することができる。
【００２２】
また、内層と外層とからなる有孔管において、それら内層若しくは外層の一方の層に発光部等を設けた場合は、発光部等を設けた一方の層において視認性を向上させつつ、発光部等を設けない他方の層において耐圧強度を良好に維持することができる。しかも、その場合は、内外両側の層に発光部等を設ける場合に比べて、発光部等を構成する素材の使用量が少なくて済むため、その分だけコストを低減することができる。
【００２３】
さらに、この場合において、表面に露出した外層に発光部等を設けることによって、より良好な視認性を発揮することができる。
【発明を実施するための最良の形態】
【００２４】
以下、この発明の実施形態を図面に基づいて詳細に説明する。以下の実施形態に係る有孔管としてのドレンパイプ(１)は、例えば道路の排水性舗装に埋設される排水管として用いられるものである。すなわち、図８に示すように、路盤(53)上に敷設された不透水性層(52)の上に、透水性表面層(51)が敷設された排水性舗装道路において、その透水性表面層(51)の側部に、その延長方向に沿ってドレンパイプ(１)が埋設される。
【００２５】
そして、路面に降った雨水等は透水性表面層(51)の内部に浸透して、中央が盛り上がるように湾曲した不透水性層(52)の上面を伝って側方へ導かれ、この側方へ導かれた雨水が、ドレンパイプ(１)の管壁の通孔より管内に取り込まれて、ドレンパイプ(１)の管内の通路を通って外部へ排出されるようになっている。なお、図８において、(55)は、透水性表面層(51)の側部に沿って設けられた街渠を示している。
【００２６】
図１及び図２は、この発明の一実施形態に係るドレンパイプ(１)を示している。このドレンパイプ(１)は、複数のストランド(５)(６)…によって壁面に多数の通孔を形成されてなる概略網目状となっている。また、ドレンパイプ(１)は、１又は複数本、具体的には１０本のストランド(４)(４)…からなる内層(２)と、同じく１又は複数本、具体的には４本のストランド(５)(６)…からなる外層(３)とからなっている。
【００２７】
内層(２)を構成するストランド(４)(４)…は、管軸方向に適当な間隔を空けて並列した状態で、同じ方向に傾斜した螺旋状に巻回されている。また、内層(２)の各ストランド(４)(４)…は、比較的小径の断面円形の中実状であって、ポリエチレン樹脂その他の硬質合成樹脂からなっている。さらに、この内層(２)においては、紫外線による劣化を防止するため、ストランド(４)(４)…の原料中に微量のカーボンブラックが含まれており、全体として黒色を呈している。ただし、ストランド(４)(４)…の断面形状、材質及び色調は、必ずしもこれに限定されるものではない。
【００２８】
他方、外層(３)は、例えば２組のストランド群(15)(16)からなり、各組のストランド群(15)(16)が、それぞれ例えば２本のストランド(５)(６)…からなっている。
【００２９】
第１のストランド群(15)におけるストランド(５)(５)は、図２に示すように、内層(２)の外周に沿って、互いに平行な状態で、且つ、内層(２)のピッチ間隔よりも大きなピッチ間隔で螺旋状に巻回されている。この螺旋は、正規の螺旋曲線に対して、管軸方向の前方若しくは後方へ部分的に湾曲若しくは屈曲しており、それにより膨出部(10)(11)が形成されている。
【００３０】
第２のストランド群(16)におけるストランド(６)(６)も、同様に螺旋状に巻回されており、正規の螺旋曲線に対して、第１ストランド群(15)のストランド(５)(５)とは反対方向に屈曲若しくは湾曲して、それにより膨出部(20)(21)…が形成されている。
【００３１】
また、第１ストランド群(15)のストランド(５)(５)における膨出部(10)(11)…と、第２ストランド群(16)のストランド(６)(６)における膨出部(20)(21)とが互いに融着されるとともに、それらの融着部分において、外層(３)の少なくとも１本のストランド(５)(６)に、内層(２)の少なくとも１本のストランド(４)が融着されている。このように少なくとも３本以上のストランド(４)(５)(６)…が融着一体化した融着部分においては、管径方向に対する座屈強度が高められるようになっており、その融着部分以外の部分においては、柔軟性が確保されるようになっている。
【００３２】
外層(３)のストランド(５)(６)…は、内層(２)のストランド(４)(４)…と同様、ポリエチレン樹脂その他の硬質合成樹脂からなり、内層(２)のストランド(４)(４)…よりも大径の断面円形の中実状となっているが、必ずしもこれに限られるものではない。
【００３３】
そして、外層(３)の各ストランド(５)(６)…には、その全長に亘って、夜間の敷設又は埋設作業での視認性を向上させるための発光部(30)(30)…が設けられている。発光部(30)(30)…は、外層(３)における４本すべてのストランド(５)(６)…に設けられているが、１本乃至３本のストランド(５)(６)に設けるようにしても良い。なお、各図面において、灰色で表した部分が発光部(30)である。
【００３４】
発光部(30)は、ストランド(５)(６)…製造時において原料中に発光性物質を混合するか若しくは練り込んで形成するようにする。
【００３５】
発光性物質の素材としては、例えば、蓄光物質、又は、有機質若しくは無機質の蛍光物質が用いられる。
【００３６】
蓄光物質は、光エネルギーを吸収蓄積することにより励起して発光するものであり、具体的には、亜鉛やカルシウム等の硫化物に微量の重金属活性化剤を添加したものなどが用いられる。
【００３７】
有機質の蛍光物質は、光による刺激のある時だけ発光するものであり、ポリ塩化ビニル、アルキド樹脂又はアクリル樹脂等の合成樹脂からなる展色剤に、蛍光染料を溶解した固溶体が用いられる。
【００３８】
無機質の蛍光物質は、光による刺激が止まってからもしばらく発光を続けるものであり、例えば、極めて純度の高い亜鉛、カドミウム、カルシウム、アルミニウム、イットリウム等の金属の酸化物、硫化物、ケイ酸塩、タングステン酸塩等を主成分として、これに微量のマンガン、銀、銅、鉛、ユーロビウム等の活性化剤、及び融剤を添加し、高温で焼成したものなどが用いられる。
【００３９】
上記のように、外層(３)にのみ発光部(30)(30)…を設けた理由としては、それによって、夜間における良好な視認性を発揮しつつ、ある程度の耐圧性を確保することにある。
【００４０】
すなわち、ドレンパイプ(１)の視認性を最大限に発揮しようとすれば、内外層(２)(３)の双方に発光部(30)を設ければ良いが、この場合は、ドレンパイプ(１)の強度低下を引き起こす可能性がある。
【００４１】
なぜなら、発光性物質は、ストランド(５)(６)…の原料である樹脂本来の色を隠蔽する隠蔽性が低いため、隠蔽性が高くて添加量が微量で済むカーボンブラック等に比べて、多くの添加量が必要である。従って、靭性や剛性等の機械的性質の観点において、不純物となる発光性物質がストランド(５)(６)…中に多く含まれることとなり、それによって樹脂本来の特性が損なわれてしまう。
【００４２】
そこで、内層(２)には発光部(30)を設けず、表面に露出した外層(３)にのみ発光部(30)(30)…を設けることで、樹脂本来の特性低下を抑えて、ある程度の強度を確保しながら、視認性を良好にしている。
【００４３】
さらに、外層(３)に発光部(30)(30)…を設けるにあたって、螺旋巻回されたストランド(５)(６)…の全長に亘って発光部(30)(30)…を設けることで、ドレンパイプ(１)の外層(３)の全周に発光部(30)(30)…が存在して、円周方向の略どの角度方向からでもドレンパイプ(１)を視認することができる。したがって、敷設又は埋設作業中にドレンパイプ(１)が捻れたり捩れたりしても、ドレンパイプ(１)をより確実に視認することができる。
【００４４】
上記の実施形態においては、ストランド(５)(６)…の原料中に発光性物質を混合するか若しくは練り込むことで発光部(30)(30)…を形成しているが、発光性物質を顔料とする発光性塗料をストランド(５)(６)…の表面に塗布することで、発光部(30)(30)…を形成するようにしても良い。なお、この場合は、上記のようなドレンパイプ(１)の強度低下についてそれほど配慮する必要がない。
【００４５】
また、上記実施形態においては、発光部(30)(30)…を、外層(３)においてストランド(５)(６)…の全体に設けているが、図３に示すように、ストランド(５)(６)…の一部に発光部(30)(30)…を設けるようにしても良い。
【００４６】
図３においては、外層(３)のストランド(５)(６)…において、複数の発光部(30)(30)…が、ストランド(５)(６)の長さ方向に間欠的に設けられ、ストランド(５)(６)…全体が縞状の外観となるようになっているが、発光部(30)(30)…の配置は、ドレンパイプ(１)が円周方向の略どの角度方向からでも視認できる位置又は範囲に亘るようになっていれば、必ずしもこれに限られず、斑状その他の配置であっても良い。
【００４７】
また、発光部(30)(30)…は、必ずしも外層(３)にのみ設ける必要はなく、図４に示すように、内層(２)のストランド(４)(４)…にのみ設けたり、図５に示すように、内層(２)及び外層(３)の双方のストランド(４)(５)(６)…に設けるようにしても良い。
【００４８】
なお、この場合、内層(２)又は外層(３)において、一部のストランド(４)(５)(６)…に発光部(30)(30)…を設けたり、発光部(30)(30)…を設ける各ストランド(４)(５)(６)において、そのストランド(４)(５)(６)の一部に発光部(30)(30)…を設けるようにしても良い。
【００４９】
図６は、この発明の別の実施形態に係るドレンパイプ(１)を示している。このドレンパイプ(１)では、内層(２)が例えば２本のストランド(４)(４)からなり、外層(３)が１本のストランド(35)からなっている。
【００５０】
内層(２)のストランド(４)(４)は、管軸方向に適当な間隔を空けて並列した状態で、同じ方向に傾斜した螺旋状に巻回されている。
【００５１】
一方、外層(３)のストランド(35)は、内層(２)の外周に沿って、内層(２)よりも大きなピッチ間隔で螺旋状に巻回されている。この螺旋は、正規の螺旋曲線に対して、部分的に管軸方向の前方又は後方へ湾曲又は屈曲しており、それにより膨出部(40)(41)…が形成されている。
【００５２】
これらの膨出部(40)(41)…は、管軸方向前方への膨出部(40)(40)と、管軸方向後方への膨出部(41)(41)とに分けられ、管軸方向に向かい合った膨出部(40)(41)同士が、管径方向に重なった状態で相互に融着している。また、この融着部分において、外層(３)のストランド(15)と内層(２)の少なくとも一方のストランド(４)とが融着しており、それにより管径方向に対する座屈強度が高められている。
【００５３】
そして、外層(３)のストランド(15)全体に発光部(30)が設けられている。このように、図６に示すドレンパイプ(１)は、外層(３)にのみ発光部(30)が設けられることにより、夜間の視認性を十分に発揮しつつ、ある程度の耐圧性が確保されるようになっている。
【００５４】
なお、図６に示す実施形態においても、発光部(30)を内層(２)にのみ設けるようにしても良く、或いは、内層(２)及び外層(３)の双方に発光部(30)を設けるようにしても良い。また、この実施形態においても、上記と同様、ストランド(35)の一部に発光部(30)を設けるようにしても良い。
【００５５】
図７は、この発明のその他の実施形態に係るドレンパイプ(１)を示している。図７に示すドレンパイプ(１)では、内層(２)の複数本のストランド(46)(46)…と、外層(３)の複数本のストランド(47)(47)…とが、互いに逆方向に傾斜した正規の螺旋曲線に沿って螺旋巻回され、全体として網目状に形成されている。
【００５６】
そして、図７に示す実施形態においても、外層(３)にのみ発光部(30)(30)…が設けられ、十分な視認性を発揮しつつ、ある程度の耐圧性が確保されるようになっているが、上記と同様、内層(２)にのみ発光部(30)を設けるようにしても良く、或いは、内層(２)及び外層(３)の双方に発光部(30)を設けるようにしても良い。また、この実施形態においても、ストランド(46)の一部に発光部(30)を設けるようにしても良い。
【００５７】
上記においては、ドレンパイプ(１)に発光部(30)(30)…を設けているが、発光部(30)(30)…に併せて光反射部を設けるか、又は、発光部(30)(30)…に代えて光反射部を設けるようにしても良い。
【００５８】
光反射部の構成例としては、例えば、発光性塗料に、微細なガラス玉等からなる反射材料を添加することで、発光部(30)に併せて光反射部を設けることが考えられる。
【００５９】
また、発光部(30)を設けたドレンパイプ(１)の表面の要所に、外部の光を反射するような反射テープを、排水性に支障をきたさないように巻き付けることで、発光部(30)に併せて光反射部を設けるか、或いは、発光部(30)を設けていないドレンパイプ(１)に対して、その反射テープを同様に巻き付けることで、発光部(30)に代えて光反射部を設けることも考えられる。
【００６０】
さらに、このような発光部(30)や光反射部は、ドレンパイプ(１)のみに設けるのではなく、ドレンパイプ(１)(１)同士を接続する継手部分にも設けるようにしても良い。
【００６１】
なお、この発明は、上記実施形態に限定されるものではなく、この発明の範囲内で上記実施形態に多くの修正及び変更を加え得ることは勿論である。例えば、上記実施形態においては、内層(２)と外層(３)とによって網目状に形成されたドレンパイプ(１)について説明したが、この発明は、互いに異方向のストランド同士を編み込むことにより網目状に形成されたドレンパイプにおいて、上記と同様に一部又は全部のストランドに発光部(30)や光反射部を設けるようにしても良い。
【００６２】
また、この発明は、そのような網状管に限られず、壁面に多数の通孔を備えたストレート管又は波形管その他のドレンパイプにおいて、そのドレンパイプの表面の一部又は全部に発光部(30)や光反射部を設けるようにしても良い。
【００６３】
さらに、この発明の有孔管は、上記実施形態のような排水性舗装の道路に限られず、路盤(53)やその下側の路床に雨水が浸透するような透水性舗装の道路において、その路盤(53)や路床等に埋設されるものであっても良く、或いは、排水が要求されるような駐車場やグランド等、道路以外の造成地に埋設されるものであっても良い。
【図面の簡単な説明】
【００６４】
【図１】この発明の一実施形態に係る地中埋設用ドレンパイプを示す正面図である。
【図２】同じくその部分拡大図である。
【図３】外層のストランドの一部に発光部を設けたドレンパイプを示す正面図である。
【図４】内層にのみ発光部を設けたドレンパイプを示す正面図である。
【図５】内層及び外層に発光部を設けたドレンパイプを示す正面図である。
【図６】別の実施形態に係る地中埋設用ドレンパイプを示す正面図である。
【図７】その他の実施形態に係る地中埋設用ドレンパイプを示す正面図である。
【図８】排水性舗装用道路の縦断面図である。
【符号の説明】
【００６５】
(１)  ドレンパイプ(有孔管)
(２)  内層
(３)  外層
(４)(５)(６)(35)(46)(47)  ストランド
(30)  発光部
(51)  透水性表面層
【図１】
2006063532.tif 000003
【図２】
2006063532.tif 000004
【図３】
2006063532.tif 000005
【図４】
2006063532.tif 000006
【図５】
2006063532.tif 000007
【図６】
2006063532.tif 000008
【図７】
2006063532.tif 000009
【図８】
2006063532.tif 000010